【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
クライアントおよびサーバーが連携してプリンタードライバーのカスタマイズを行うシステムであって、
前記クライアントは、
プリンタードライバーに対するカスタマイズ設定を受け付ける受付手段と、
前記カスタマイズ設定の入力に基づいて、カスタマイズデータを作成する作成手段と、
前記カスタマイズデータおよび前記プリンタードライバーが有する第一のカタログファイルを前記サーバーに送信し、その応答として第二のカタログファイルを受信する通信手段と、
前記プリンタードライバーに対し、前記カスタマイズデータを適用し、前記第二のカタログファイルを付与することでカスタマイズされたプリンタードライバーを生成する手段と、を有し、
前記サーバーは、
前記クライアントから前記カスタマイズデータおよび前記第一のカタログファイルを受信する受信手段と、
前記受信した第一のカタログファイルをキーとして、データベースから対応するプリンタードライバーを検出する検出手段と、
前記検出手段にて検出したプリンタードライバーに対し、前記受信したカスタマイズデータを適用することでカスタマイズされたプリンタードライバーを生成する生成手段と、
前記カスタマイズされたプリンタードライバーに対する第二のカタログファイルを生成し、当該第二のカタログファイルに電子署名を付与する付与手段と、
前記付与手段にて電子署名が付与された第二のカタログファイルを前記クライアントへ送信する手段と
を有することを特徴とするシステム。
【請求項２】
前記カスタマイズデータは、前記カスタマイズ設定の内容を示すデータおよびプリンタードライバーのインストール情報を示すデータを含むことを特徴とする請求項１に記載のシステム。
【請求項３】
前記クライアントは更に、ユーザーによるカスタマイズ設定を入力する際の操作履歴を保持する保持手段を有し、
前記カスタマイズデータは、前記保持手段にて保持された操作履歴により示され、
前記サーバーの生成手段は、前記操作履歴を用いてカスタマイズされたプリンタードライバーを生成することを特徴とする請求項１に記載のシステム。
【請求項４】
プリンタードライバーのカスタマイズを行うシステムであって、
プリンタードライバーに対するカスタマイズ設定を受け付ける受付手段と、
データベースから前記プリンタードライバーを検出する検出手段と、
前記検出手段にて検出したプリンタードライバーに対し、前記カスタマイズ設定を適用することでカスタマイズされたプリンタードライバーを生成する生成手段と、
前記カスタマイズされたプリンタードライバーに対するカタログファイルを生成し、当該カタログファイルに電子署名を付与する付与手段と、
を有することを特徴とするシステム。
【請求項５】
前記カスタマイズされたプリンタードライバーを提供する提供手段を更に有し、
前記受付手段および前記提供手段は、Ｗｅｂブラウザを介してユーザーに提供されることを特徴とする請求項４に記載のシステム。
【請求項６】
前記カスタマイズ設定は、プリンタードライバーが提供する設定画面における設定項目の表示／非表示に関する設定であることを特徴とする請求項１乃至５のいずれか一項に記載のシステム。
【請求項７】
クライアントおよびサーバーが連携してプリンタードライバーのカスタマイズを行うシステムにおける制御方法であって、
前記クライアントにおいて、
プリンタードライバーに対するカスタマイズ設定を受け付ける受付工程と、
前記カスタマイズ設定の入力に基づいて、カスタマイズデータを作成する作成工程と、
前記カスタマイズデータおよび前記プリンタードライバーが有する第一のカタログファイルを前記サーバーに送信し、その応答として第二のカタログファイルを受信する通信工程と、
前記プリンタードライバーに対し、前記カスタマイズデータを適用し、前記第二のカタログファイルを付与することでカスタマイズされたプリンタードライバーを生成する工程と、を有し、
前記サーバーにおいて、
前記クライアントから前記カスタマイズデータおよび前記第一のカタログファイルを受信する受信工程と、
前記受信した第一のカタログファイルをキーとして、データベースから対応するプリンタードライバーを検出する検出工程と、
前記検出工程にて検出したプリンタードライバーに対し、前記受信したカスタマイズデータを適用することでカスタマイズされたプリンタードライバーを生成する生成工程と、
前記カスタマイズされたプリンタードライバーに対する第二のカタログファイルを生成し、当該第二のカタログファイルに電子署名を付与する付与工程と、
前記付与工程にて電子署名が付与された第二のカタログファイルを前記クライアントへ送信する工程と
を有することを特徴とする制御方法。
【請求項８】
サーバーと連携してプリンタードライバーのカスタマイズを行う情報処理装置の制御方法であって、
プリンタードライバーに対するカスタマイズ設定を受け付ける受付工程と、
前記カスタマイズ設定の入力に基づいて、カスタマイズデータを作成する作成工程と、
前記カスタマイズデータおよび前記プリンタードライバーが有する第一のカタログファイルを前記サーバーに送信し、その応答として第二のカタログファイルを受信する通信工程と、
前記プリンタードライバーに対し、前記カスタマイズデータを適用し、前記第二のカタログファイルを付与することでカスタマイズされたプリンタードライバーを生成する工程と
を有することを特徴とする制御方法。
【請求項９】
プリンタードライバーのカスタマイズを行う情報処理装置の制御方法であって、
クライアントからプリンタードライバーに対するカスタマイズデータおよび第一のカタログファイルを受信する受信工程と、
前記受信した第一のカタログファイルをキーとして、データベースから対応するプリンタードライバーを検出する検出工程と、
前記検出工程にて検出したプリンタードライバーに対し、前記受信したカスタマイズデータを適用することでカスタマイズされたプリンタードライバーを生成する工程と、
前記カスタマイズされたプリンタードライバーに対する第二のカタログファイルを生成し、当該第二のカタログファイルに電子署名を付与する付与工程と、
前記付与工程にて電子署名が付与された第二のカタログファイルを前記クライアントへ送信する工程と
を有することを特徴とする制御方法。
【請求項１０】
コンピューターを、
プリンタードライバーに対するカスタマイズ設定を受け付ける受付手段、
前記カスタマイズ設定の入力に基づいて、カスタマイズデータを作成する作成手段、
前記カスタマイズデータおよび前記プリンタードライバーが有する第一のカタログファイルをサーバーに送信し、その応答として第二のカタログファイルを受信する通信手段、
前記プリンタードライバーに対し、前記カスタマイズデータを適用し、前記第二のカタログファイルを付与することでカスタマイズされたプリンタードライバーを生成する手段
として機能させるためのプログラム。
【請求項１１】
コンピューターを、
クライアントからプリンタードライバーに対するカスタマイズデータおよび第一のカタログファイルを受信する受信手段、
前記受信した第一のカタログファイルをキーとして、データベースから対応するプリンタードライバーを検出する検出手段、
前記検出手段にて検出したプリンタードライバーに対し、前記受信したカスタマイズデータを適用することでカスタマイズされたプリンタードライバーを生成する生成手段、
前記カスタマイズされたプリンタードライバーに対する第二のカタログファイルを生成し、当該第二のカタログファイルに電子署名を付与する付与手段、
前記付与手段にて電子署名が付与された第二のカタログファイルを前記クライアントへ送信する手段
として機能させるためのプログラム。
【請求項１２】
コンピューターを、
プリンタードライバーに対するカスタマイズ設定を受け付ける受付手段、
データベースから前記プリンタードライバーを検出する検出手段、
前記検出手段にて検出したプリンタードライバーに対し、前記カスタマイズ設定を適用することでカスタマイズされたプリンタードライバーを生成する生成手段、
前記カスタマイズされたプリンタードライバーに対するカタログファイルを生成し、当該カタログファイルに電子署名を付与する付与手段、
として機能させるためのプログラム。